(57)【要約】【課題】防犯を目的とした監視システムでは、画像データを収集、蓄積したものを後で確認しようとすると、ビデオテープ中身の逐一の確認作業が必要となったり、テープの交換作業が必要となる。【解決手段】被監視所に画像配信端末機を設置し、要所にカメラとマイクロフォンを配設する。要注意人物の入所時に起動スイッチを押すことにより映像と音声データを画像配信端末機に取り込み、伝送路を介して監視所の画像配信サーバのデータベースに蓄積する。蓄積データ必要時には、データベースより所望データを取り出して利用する。【選択図】  図１
2004303128.tif 000002
【特許請求の範囲】
【請求項１】
被監視所の要所位置にカメラ及びマイクロフォンを取付け、カメラ及びマイクロフォンより得られた映像，音声データを伝送路を介して監視所に送信し、蓄積するよう構成されたものにおいて、
前記被監視所に画像配信端末機を設置し、この画像配信端末機におてカメラ及びマイクロフォンよりの画像，音声信号を取り込んで監視所に送信し、且つ、音声信号の再生手段によって監視所よりの音声信号を再生するすると共に、前記監視所には静止画像，音声データの蓄積機能を有する画像配信サーバと、画像配信クライアント及び表示装置とを設置し、被監視所に配設した音声データ送信用のスイッチ操作時に音声データを画像配信サーバに送信し、蓄積するよう構成したことを特徴とした防犯システム。
【請求項２】
前記画像配信端末機は、カメラよりの画像入力信号をディジタル信号に変換する画像入力ディジタル化部と、マイクロフォンよりの入力信号をディジタル信号に変換する音声入力ディジタル化部と、カメラの角度位置を制御するカメラ制御機能部及び画像配信のための管理を行ない、且つ、ディジタル化された画像，音声情報の圧縮処理や伝送路から受け取った音声情報の伸張処理を実行する処理部とを有することを特徴とした請求項１記載の防犯システム。
【請求項３】
前記被監視所の入口にセンサを配設し、このセンサの検出信号をもとにカメラによる撮影を開始することを特徴とした請求項１又は２記載の防犯システム。
【請求項４】
前記画像配信端末機は携帯型とし、データ送信用のスイッチは携帯型の画像配信端末機と一体的に設けられたことを特徴とした請求項１乃至３記載の防犯システム。
【発明の詳細な説明】
【０００１】
【発明の属する技術分野】
本発明は、防犯システムに係わり、特に画像配信装置を用いた防犯システムに関するものである。
【０００２】
【従来の技術】
防犯を目的とした監視システムにおいては、監視カメラにて対象物を撮影し、送信された映像信号を送信して監視することが可能となっている。
その際、通信媒体を利用して画像データや音声データを圧縮し、遠隔地にある情報処理装置に伝送して現地の状況を監視するが、必要により画像データ蓄積するための機器（ビデオ）や音声を蓄積するための機器（レコーダ）を用意すれば各データの保存が可能となる。
【０００３】
なお、防犯用とは異なるが、映像情報を伝送する端末装置としては特許文献１のようなものが知られている。
【０００４】
【特許文献１】
特開２００１ー３０９３２６号公報（図４）
【０００５】
【発明が解決しようとする課題】
防犯を目的とした監視システムにおいては、任意の人物像等の画像を収集，蓄積し、事件発生後に蓄積データを確認することになるため、長時間のデータ蓄積が必要となり、且つ、蓄積されたデータ中身を逐一確認する作業が必要となる。また、テープ容量の問題で、長時間の蓄積には途中でテープ交換作業が必要となって、交換中における蓄積は不可能となる。
すなわち、必要なときに画像情報、あるいは音声情報の収集，蓄積ができず、大量の情報を一括して格納，管理することができないものとなっている。
【０００６】
本発明が目的とするとこは、必要なときに画像情報，音声情報の収集を可能とした防犯システムを提供することにある。
【０００７】
【課題を解決するための手段】
本発明の第１は、被監視所の要所位置にカメラ及びマイクロフォンを取付け、カメラ及びマイクロフォンより得られた映像，音声データを伝送路を介して監視所に送信し、蓄積するよう構成したものにおいて、
前記被監視所に画像配信端末機を設置し、この画像配信端末機においてカメラ及びマイクロフォンよりの画像，音声信号を取り込んで監視所に送信し、且つ、音声信号の再生手段によって監視所よりの音声信号の再生すると共に、前記監視所には静止画像，音声データの蓄積機能を有する画像配信サーバと、画像配信クライアント及び表示装置とを設置し、被監視所に配設した音声データ送信用のスイッチ操作時に音声データを画像配信サーバに送信し、蓄積するよう構成したことを特徴としたものである。
【０００８】
本発明の第２は、前記画像配信端末機は、カメラよりの画像入力信号をディジタル信号に変換する画像入力ディジタル化部と、マイクロフォンよりの入力信号をディジタル信号に変換する音声入力ディジタル化部と、カメラの角度位置を制御するカメラ制御機能部及び画像配信のための管理を行ない、且つ、ディジタル化された画像，音声情報の圧縮処理や伝送路から受け取った音声情報の伸張処理を実行する処理部とを有することを特徴としたものである。
【０００９】
本発明の第３は、前記被監視所の入口にセンサを配設し、このセンサの検出信号をもとにカメラによる撮影を開始することを特徴としたものである。
【００１０】
本発明の第４は、前記画像配信端末機は携帯型とし、データ送信用のスイッチは携帯型の画像配信端末機と一体的に設けられたことを特徴としたものである。
【００１１】
【発明の実施の形態】
図１は、本発明の実施形態を示す構成図である。同図において、Ａは被監視所で、例えばコンビニェンス・ストアや市中金融機関、或いはパチンコ店とその両替所等である。この被監視所には、画像配信端末機１が設置されている。２はカメラで、例えばフォーカスは固定として被監視所の入口Ｂ方向に向けて焦点を合わせ、壁等に取り付けられる。その場合、大人の顔が映る範囲が網羅されるようズーム調整をしておく。また、このカメラ２は、被監視者に対する位置制御可能な簡易監視カメラが用いられ、そのためには、カメラ２と画像配信端末機１との間にはビデオケーブル、制御ケーブル（シリアルケーブル等）が敷設され、撮影して得られた画像信号は画像配信端末機１に出力し、また、この画像配信端末機のカメラ制御機能部からは位置制御信号がカメラに出力される。
【００１２】
３はセンサで、入口Ｂのドアが開いたときや人影を捕らえたときに検出信号を画像配信端末機１に送出する。４は高感度で指向性の強いマイクロフォン、５は音声信号発生部で、スピーカやイヤホンが用いられて監視室Ｃからの指示，連絡用に用いられる。６はスイッチで、このスイッチは音声信号の送信開始用のスイッチであってボタンスイッチ等が用いられ、コンビニェンス・ストアの場合にはレジ近傍に、また、市中金融機関の場合には窓口担当者の近辺等に配設される。
【００１３】
監視室Ｃには、画像、音声データのデータベース蓄積機能を有する画像配信サーバ７、画像配信クライアント８及び表示装置９等が設置され、被監視所Ａと監視室ＣとはＬＡＮ等の伝送路によって接続される。
【００１４】
図２は画像配信端末機１の機能図を示したものである。１１は通信インターフェース部で、伝送路を介して画像配信端末機１と監視室Ｃとのデータの授受に使用される。１２は処理部で、画像配信端末機全体の管理を行うと共に、取り込まれてディジタル化された画像や音声の情報を圧縮処理したり、伝送路から受け取った音声情報の伸張処理等を実行する。１３は処理部１２の処理に必要なプログラムを格納したメモリ、１４は被写体位置に対応してカメラ角度を制御するカメラ制御部、１５は画像入力ディジタル化部で、カメラ２から与えられた画像信号をディジタル信号に変換する。ディジタル信号に変換された画像データは、バッファメモリ１６において一時的に貯えられる。
【００１５】
１７は音声入力ディジタル化部で、マイクロフォン４から取り込まれた音声信号をディジタル信号に変換する。１８は音声入力のバッファメモリで、音声入力ディジタル化部で変換された音声信号を一時的に貯える。１９は音声信号出力用のバッファメモリで、伝送路を介して入力された音声信号が伸張復元処理され、再生出力するためのデータが一時的に格納される。
２０はＤ／Ａ変換部で、バッファメモリ１９に格納された音声のディジタル信号をアナログ信号に変換してスピーカ５より音声として出力する。
【００１６】
以上のように構成されたものにおいて、その動作を説明する。
【００１７】
センサ３は、被監視対象者がドアを開けて入室したとき、或いは人影を感知したとき画像配信端末機１に検出信号を送出する。端末機１には、カメラ２からの画像信号も入力されており、センサ３よりの入力信号を条件に入室者の映像を静止画とし画像配信クライアント８に送信すると共に、画像配信サーバ７にも送信してこのサーバにおいて画像情報を蓄積し、入室された大人のお客様の画像情報画像がデータベースに保存される。データベースは静止画データで数万枚ものデータが蓄積できるので、有用なデータを大量に蓄積することが可能となる。
【００１８】
もしも、強盗等に襲われたときには、店員が手元に配設された音声送信開始のボタンスイッチ６を押圧し、マイクロフォン４を介して音声信号を収録する。したがって、画像信号と音声信号は、それぞれディジタル化部４５，１７、バッファメモリ１６，１８に一時的に格納された後、各データは、処理部１２によって圧縮処理された後に通信インターフェース部１１、伝送路を通って画像配信サーバ７のデータベースに蓄積すると共に、画像配信クライアント８を通して表示装置９において画像，音声信号を再現する。
【００１９】
監視室Ｃから被監視所Ａの担当者への指示等は、図示省略された音声送信装置を介して画像配信端末機１に送信され、処理部１２によって伸張復元処理された後、バッファメモリ１８、Ｄ／Ａ変換部２０を介してスピーカ５より音声として出力される。
画像配信サーバ７に蓄積された強盗の顔写真データと音声データは、後ほど取り出されて捜査等に利用される。
【００２０】
図３は他の実施形態を示したものである。この実施形態は、画像配信端末機として携帯型の画像配信端末機３０が使用され、カメラは小型のＣＣＤカメラ３１が使用される。また、マイクロフォンとスピーカについてはイヤホンマイク３２が用いられ、機能としては図１と同様に構成されている。
なお、画像配信端末機３０には一体的に操作パネルが設けられており、そのパネルには通信開始ボタンスイッチが設けられている。
携帯型の画像配信端末機３０やカメラ３１の配設位置は、レジ等のように担当者が在席し、且つ目立たない位置に設置される。
【００２１】
強盗等のように要注意者が入室した場合、被監視所にいる担当者は操作パネルの通信開始ボタンスイッチを押圧し、端末機３０を監視室Ｃの画像配信サーバ７及び画像配信クライアント７に接続する。
画像配信端末機３０は、監視室Ｃに接続されると直ちに静止画の画像データとして画像配信サーバ７に伝送し、データベースに蓄積する。
また、音声信号は、音声送信モードに自動的に切り替わったときに画像配信サーバ７に送信されてデータベースに蓄積される。これら、蓄積された画像データと音声データは、後ほど取り出されて捜査等に利用される。
【００２２】
【発明の効果】
以上のとおり、本発明によれば、被監視所で得られた画像と音声の両データを必要なときに自動収集してデータベースに蓄積し、しかも、このデータベースはサーバを使用したものであるから、サーバは静止画データで数万枚蓄積可能であるため有用なデータを大量に蓄積することができ、この大量のデータはサーバ内データベースで一元管理されるため、必要な情報を後で付加することや、データの再利用が可能となるものである。
【００２３】
また、入口やレジ等の人物集中位置で撮影し、不要にデータは後に削除することが可能であるので、犯罪者の顔を確実に確認することが可能となると共に、事件発生後、画像配信端末機やカメラが破損され、放火された後でも、映像と音声データは別室に配置された画像配信サーバ内に格納されているので、これらデータ確認を行うことができる。
【図面の簡単な説明】
【図１】本発明の実施形態を示す構成図。
【図２】画像配信端末の説明のための機能構成図。
【図３】本発明の他の実施形態を示す構成図。
【符号の説明】
１…画像配信端末機
２…カメラ
３…センサ
４…マイクロフォン
５…スピーカ
６…スイッチ体
７…画像配信サーバ
８…画像配信クライアント
９…表示装置
Ａ…被監視所
Ｂ…入口
Ｃ…監視所
【図１】
2004303128.tif 000003
【図２】
2004303128.tif 000004
【図３】
2004303128.tif 000005